(57)【特許請求の範囲】
【請求項１】
表示装置を接続するための接続部と、
前記接続部に表示装置が接続されているか判断する判断手段と、
画像データを取得する取得手段と、
メモリに予め記憶されている印刷条件を前記取得手段により取得された画像データに基づく画像を印刷させるときの印刷条件として設定する第１のモードと、印刷条件を設定するための印刷設定画面を前記接続部に接続されている表示装置に表示させ、当該印刷設定画面に基づくユーザによる指示に応じて、前記メモリに予め記憶されている印刷条件とは異なる印刷条件を、前記画像データに基づく画像を印刷させるときの印刷条件として設定可能な第２のモードとのいずれかのモードを、ユーザによる指示に応じて選択する選択手段と、
前記判断手段により表示装置が前記接続部に接続されていないと判断された場合には、前記取得手段により取得された画像データに基づく画像を、前記第１のモードにおいて設定される前記メモリに予め記憶されている印刷条件に従って印刷させ、
前記判断手段により表示装置が前記接続部に接続されていると判断された場合には、前記選択手段により前記第１のモードと前記第２のモードのいずれかを選択し、前記第１のモードが選択された場合には、前記第１のモードにおいて設定される前記メモリに予め記憶されている印刷条件を示す画面を前記表示装置に表示させて、当該印刷条件に従って前記取得手段により取得された画像データに基づく画像を印刷させ、前記第２のモードが選択された場合には、前記印刷設定画面を前記表示装置に表示させ、当該印刷設定画面に基づくユーザによる指示に応じて設定された印刷条件に従って、前記取得手段により取得された画像データに基づく画像を印刷させる印刷制御手段と、
を有することを特徴とする印刷装置。
【請求項２】
前記印刷装置は、電源が投入されたとき前記印刷制御手段による印刷に用いる印刷条件を前記メモリに予め記憶されている印刷条件で設定し、前記印刷制御手段は、前記判断手段により前記接続部に表示装置が接続されていると判断された場合に、ユーザが前記選択手段により前記第１のモードと前記第２のモードのいずれかを選択するための画面を前記表示装置に表示させることを特徴とする請求項１に記載の印刷装置。
【請求項３】
前記印刷装置に搭載されている記録媒体のサイズを検出するサイズ検出手段を更に有し、前記印刷制御手段は、前記メモリに予め記憶されている印刷条件に従って画像を印刷する場合、前記サイズ検出手段で検出された記録媒体のサイズに合わせた大きさの画像を印刷することを特徴とする請求項１又は２に記載の印刷装置。
【請求項４】
前記判断手段により表示装置が前記接続部に接続されていると判断された場合、前記メモリに記憶される印刷条件を設定するための印刷設定画面を前記接続部に接続されている表示装置に表示させ、当該印刷設定画面に基づくユーザによる指示に応じた印刷条件を前記メモリに記憶させる記憶制御手段を更に有することを特徴とする請求項１乃至３のいずれか１項に記載の印刷装置。
【請求項５】
表示装置を接続するための接続部を有する印刷装置を制御する印刷装置の制御方法であって、
前記接続部に表示装置が接続されているか判断する判断工程と、
画像データを取得する取得工程と、
メモリに予め記憶されている印刷条件を前記取得工程において取得された画像データに基づく画像を印刷させるときの印刷条件として設定する第１のモードと、印刷条件を設定するための印刷設定画面を前記接続部に接続されている表示装置に表示させ、当該印刷設定画面に基づくユーザによる指示に応じて、前記メモリに予め記憶されている印刷条件とは異なる印刷条件を、前記画像データに基づく画像を印刷させるときの印刷条件として設定可能な第２のモードとのいずれかのモードを、ユーザによる指示に応じて選択する選択工程と、
前記判断工程において表示装置が前記接続部に接続されていないと判断された場合には、前記取得工程において取得された画像データに基づく画像を、前記第１のモードにおいて設定される前記メモリに予め記憶されている印刷条件に従って印刷させ、
前記判断工程において表示装置が前記接続部に接続されていると判断された場合には、前記選択工程において前記第１のモードと前記第２のモードのいずれかを選択し、前記第１のモードが選択された場合には、前記第１のモードにおいて設定される前記メモリに予め記憶されている印刷条件を示す画面を前記表示装置に表示させて、当該印刷条件に従って前記取得工程において取得された画像データに基づく画像を印刷させ、前記第２のモードが選択された場合には、前記印刷設定画面を前記表示装置に表示させ、当該印刷設定画面に基づくユーザによる指示に応じて設定された印刷条件に従って、前記取得工程において取得された画像データに基づく画像を印刷させる印刷制御工程と、
を有することを特徴とする印刷装置の制御方法。
【請求項６】
前記印刷装置の電源が投入されたとき前記印刷制御工程における印刷に用いる印刷条件が前記メモリに記憶されている印刷条件に設定され、前記印刷制御工程は、前記判断工程において前記接続部に表示装置が接続されていると判断された場合に、ユーザが前記選択工程により前記第１のモードと前記第２のモードとのいずれかを選択するための画面を前記表示装置に表示させることを特徴とする請求項５に記載の印刷装置の制御方法。
【請求項７】
前記印刷装置に搭載されている記録媒体のサイズを検出するサイズ検出工程を更に有し、前記印刷制御工程は、前記メモリに記憶されている印刷条件に従って画像を印刷する場合、前記サイズ検出工程で検出された記録媒体のサイズに合わせた大きさの画像を印刷させることを特徴とする請求項５又は６に記載の印刷装置の制御方法。
【請求項８】
前記判断工程において表示装置が前記接続部に接続されていると判断された場合、前記メモリに記憶される印刷条件を設定するための印刷設定画面を前記接続部に接続されている前記表示装置に表示させ、当該印刷設定画面に基づくユーザによる指示に応じた印刷条件を前記メモリに記憶させる記憶制御工程を更に有することを特徴とする請求項５乃至７のいずれか１項に記載の印刷装置の制御方法。
【請求項９】
表示装置を接続するための接続部を有する印刷装置を制御する印刷装置の制御方法をコンピュータに実行させるためのプログラムであって、
前記接続部に表示装置が接続されているか判断する判断工程と、
画像データを取得する取得工程と、
メモリに予め記憶されている印刷条件を前記取得工程において取得された画像データに基づく画像を印刷させるときの印刷条件として設定する第１のモードと、印刷条件を設定するための印刷設定画面を前記接続部に接続されている表示装置に表示させ、当該印刷設定画面に基づくユーザによる指示に応じて、前記メモリに予め記憶されている印刷条件とは異なる印刷条件を、前記画像データに基づく画像を印刷させるときの印刷条件として設定可能な第２のモードとのいずれかのモードを、ユーザによる指示に応じて選択する選択工程と、
前記判断工程において表示装置が前記接続部に接続されていないと判断された場合には、前記取得工程において取得された画像データに基づく画像を、前記第１のモードにおいて設定される前記メモリに予め記憶されている印刷条件に従って印刷させ、
前記判断工程において表示装置が前記接続部に接続されていると判断された場合には、前記選択工程において前記第１のモードと前記第２のモードのいずれかを選択し、前記第１のモードが選択された場合には、前記第１のモードにおいて設定される前記メモリに予め記憶されている印刷条件を示す画面を前記表示装置に表示させて、当該印刷条件に従って前記取得工程において取得された画像データに基づく画像を印刷させ、前記第２のモードが選択された場合には、前記印刷設定画面を前記表示装置に表示させ、当該印刷設定画面に基づくユーザによる指示に応じて設定された印刷条件に従って、前記取得工程において取得された画像データに基づく画像を印刷させる印刷制御工程と、
をコンピュータに実行させるためのプログラム。
【発明の詳細な説明】
【技術分野】
【０００１】
本発明は印刷装置及びその制御方法に関し、特にワイヤレスインターフェースを介して、例えば携帯電子機器等からワイヤレスで受信した画像データを印刷する技術に関するものである。
【背景技術】
【０００２】
一般に印刷装置はホストコンピュータに接続され、そのホストコンピュータから送信される印刷データに基づいて印刷を行う。この場合、印刷装置における印刷条件（用紙サイズ、用紙の種類、印刷品位等）は、ホストコンピュータにおいてユーザにより設定された後、印刷開始時に印刷装置にコマンド形式で送られる。これを受信した印刷装置は、その受信したコマンドを解釈し、そのコマンドにより指定された印刷モードを選択して印刷を行う。そのため、主にホストコンピュータに接続されて印刷を実行する印刷装置では、用紙サイズ、用紙の種類、印刷モード等を設定するためのパネル操作が不要となり、最近では電源スイッチしか備えていない印刷装置も出現している。
【０００３】
一方、主にホストコンピュータに接続して使用されない印刷装置、例えばホストコンピュータを介さずに、デジタルカメラやデジタルカメラのメモリカードから直接画像データを取得して印刷できる印刷装置では、印刷装置における印刷条件の設定（用紙サイズ、用紙の種類、印刷品位等）が必要となる。従って、このような印刷装置では、各種設定キーや表示部などを備えた操作パネルが必要となる。
【０００４】
また近年、携帯電話や携帯端末の機能が広がり、カメラが内蔵されている機種や、更には赤外線通信機能を持った機種も出現しており、このようなカメラ内蔵型の携帯電話で撮影した写真を赤外線通信等のワイヤレス通信により送受信できる機種も出てきた。
【０００５】
またデジタルカメラと印刷装置の両方に画像データの通信機能を持たせ、デジタルカメラで撮影した画像データを印刷装置に送信し、印刷装置ではその受信した画像データを印刷イメージに変換してデジタルカメラに再度送信し、デジタルカメラでは、その印刷装置からフィードバックされた印刷イメージを表示装置に表示し、再度、印刷装置に印刷指示を送信するというシステムが提案されている（特許文献１）。
【特許文献１】特開平１１−１８０３３号公報
【発明の開示】
【発明が解決しようとする課題】
【０００６】
しかしながら上記構成例では、デジタルカメラには印刷装置から印刷イメージを受信したり、また印刷装置に印刷指示を出力するような専用プログラムが必要となる。また印刷装置には、受信した画像データをデジタルカメラに送信したり、またデジタルカメラから送られてくる印刷指示コマンドを解析する専用プログラムが必要となる。このため、印刷装置と、デジタルカメラのような機器の両方に特別の機能を設ける必要があり、その機能を備えた特定の機器同士でしか、このような機能が利用できないこととなる。
【０００７】
印刷装置がホストコンピュータでなくデジタルカメラや携帯端末装置とも接続されて印刷する場合、デジタルカメラや携帯端末装置からは画像データがワイヤレスインターフェースを介して印刷装置に送られてくる。しかしながら、その送られてくる画像データには印刷すべき用紙等の情報が入っていないので、ユーザの所望する印刷結果を得るためには、従来のホストコンピュータとの接続では不要であった、用紙を選択するための操作パネルや表示装置を印刷装置に設ける必要がある。しかし印刷装置に操作パネルや表示装置を設けることはコストアップにつながる。そこで、一般に普及している表示装置であるテレビジョン受像機を印刷装置の外部に接続し、その受像機の表示画面を使用して印刷条件を設定したいという要望がある。しかし、印刷装置の外部に接続する構成のため、必ずしも常にテレビジョン受像機が印刷装置に接続されて使用されるとは限らず、テレビジョン受像機が接続されていなくても印刷機能を実現させたいという要請がある。
【０００８】
本発明は上記問題点に鑑みてなされたもので、取得した画像データを、接続されている表示装置を使用して設定した印刷条件に従って印刷できるとともに、表示装置が接続されていない場合でも、取得した画像データを印刷できる技術を提供することを目的とする。
【課題を解決するための手段】
【０００９】
本発明の印刷装置は以下のような構成を備える。即ち、
表示装置を接続するための接続部と、
前記接続部に表示装置が接続されているか判断する判断手段と、
画像データを取得する取得手段と、
メモリに予め記憶されている印刷条件を前記取得手段により取得された画像データに基づく画像を印刷させるときの印刷条件として設定する第１のモードと、印刷条件を設定するための印刷設定画面を前記接続部に接続されている表示装置に表示させ、当該印刷設定画面に基づくユーザによる指示に応じて、前記メモリに予め記憶されている印刷条件とは異なる印刷条件を、前記画像データに基づく画像を印刷させるときの印刷条件として設定可能な第２のモードとのいずれかのモードを、ユーザによる指示に応じて選択する選択手段と、
前記判断手段により表示装置が前記接続部に接続されていないと判断された場合には、前記取得手段により取得された画像データに基づく画像を、前記第１のモードにおいて設定される前記メモリに予め記憶されている印刷条件に従って印刷させ、
前記判断手段により表示装置が前記接続部に接続されていると判断された場合には、前記選択手段により前記第１のモードと前記第２のモードのいずれかを選択し、前記第１のモードが選択された場合には、前記第１のモードにおいて設定される前記メモリに予め記憶されている印刷条件を示す画面を前記表示装置に表示させて、当該印刷条件に従って前記取得手段により取得された画像データに基づく画像を印刷させ、前記第２のモードが選択された場合には、前記印刷設定画面を前記表示装置に表示させ、当該印刷設定画面に基づくユーザによる指示に応じて設定された印刷条件に従って、前記取得手段により取得された画像データに基づく画像を印刷させる印刷制御手段と、を有することを特徴とする。
【００１０】
本発明の印刷装置の制御方法は以下のような工程を備える。即ち、
表示装置を接続するための接続部を有する印刷装置を制御する印刷装置の制御方法であって、
前記接続部に表示装置が接続されているか判断する判断工程と、
画像データを取得する取得工程と、
メモリに予め記憶されている印刷条件を前記取得工程において取得された画像データに基づく画像を印刷させるときの印刷条件として設定する第１のモードと、印刷条件を設定するための印刷設定画面を前記接続部に接続されている表示装置に表示させ、当該印刷設定画面に基づくユーザによる指示に応じて、前記メモリに予め記憶されている印刷条件とは異なる印刷条件を、前記画像データに基づく画像を印刷させるときの印刷条件として設定可能な第２のモードとのいずれかのモードを、ユーザによる指示に応じて選択する選択工程と、
前記判断工程において表示装置が前記接続部に接続されていないと判断された場合には、前記取得工程において取得された画像データに基づく画像を、前記第１のモードにおいて設定される前記メモリに予め記憶されている印刷条件に従って印刷させ、
前記判断工程において表示装置が前記接続部に接続されていると判断された場合には、前記選択工程において前記第１のモードと前記第２のモードのいずれかを選択し、前記第１のモードが選択された場合には、前記第１のモードにおいて設定される前記メモリに予め記憶されている印刷条件を示す画面を前記表示装置に表示させて、当該印刷条件に従って前記取得工程において取得された画像データに基づく画像を印刷させ、前記第２のモードが選択された場合には、前記印刷設定画面を前記表示装置に表示させ、当該印刷設定画面に基づくユーザによる指示に応じて設定された印刷条件に従って、前記取得工程において取得された画像データに基づく画像を印刷させる印刷制御工程と、を有することを特徴とする。
【発明の効果】
【００１１】
本発明によれば、取得した画像データを、接続されている表示装置を使用して設定した印刷条件に従って印刷できるとともに、表示装置が接続されていない場合でも、取得した画像データを印刷できる。
【発明を実施するための最良の形態】
【００１２】
以下、添付図面を参照して本発明の好適な実施の形態を詳しく説明する。
【００１３】
図１は、本発明の実施の形態に係る印刷装置（プリンタ）の構成例を示すブロック図である。
【００１４】
ＭＰＵ２３１は、この印刷装置全体の動作を制御するマイクロプロセッサユニットで、ＲＯＭ２３２に記憶されている制御プログラムに従って制御動作を実行している。ＲＡＭ２３３は、ＭＰＵ２３１によるプログラムの実行時にワークエリアとして使用され、各種データを一時的に保存したり、画像ファイル等を記憶するのに使用される。ＭＰＵ２３１は、ペーパエンドセンサ２４０、キャリッジホームセンサ２４３、回復系センサ２３７等のセンサからの信号に基づいて、記録用紙の有無、キャリッジの位置、回復系ユニットの状態を確認しながら、搬送モータドライバ２３８、キャリアモータドライバ２４１、回復系モータドライバ２３７に駆動パルスを与え、搬送モータ２３９、キャリアモータ（キャリッジモータ）２４２、回復系モータ２３７の回転を制御する。搬送モータ２３９は、その回転により記録用紙の搬送を行う。キャリアモータ２４２は、記録ヘッド２４４を搭載したキャリッジを往復走査させるためのモータである。回復系モータ２３７は、記録ヘッド２４４がインクジェットヘッドの場合、記録ヘッド２４４のノズルからインクを吸引してヘッドをクリーニングする回復処理の際に駆動される。
【００１５】
ワイヤレスインタフェース２３４は、不図示のホストコンピュータや携帯電子機器等から送られてくる、印刷用のファイル、印刷のための命令、及び画像データ等を無線により受信するのに使用される。受信した印刷用のファイルがＪＰＥＧ等の画像ファイルであれば、ＭＰＵ２３１は、そのＪＰＥＧ画像を復号した後、ビデオ出力制御部２５１に供給する。ビデオ出力制御部２５１は、この画像信号をビデオ信号に変換し、このビデオ出力制御部２５１に接続された、例えばテレビジョン受像機２６０に出力して表示する。またビデオ出力制御部２５１には、用紙サイズ、用紙種類、印刷品位等の印刷条件を設定できるように、操作ガイド用の画像データ（ＲＯＭ２３２内に格納されている）もＭＰＵ２３１から供給される。従って、ユーザは、このビデオ出力制御部２５１と家庭用のテレビジョン受像機２６０とを接続し、そのテレビ画面を見ながら用紙サイズ、用紙種類、印刷品位等の印刷条件を設定することができる。ＥＥＰＲＯＭ２４５は、後述するように、テレビジョン受像機２６０の画面を使用して設定された印刷条件等を不揮発に記憶するためのメモリである。
【００１６】
操作パネル２５０の構成は図２を参照して後述するが、カーソル移動キーや決定キー等を有し、テレビジョン受像機２６０に表示されたメニュー画面を見ながら、この操作パネル２５０のキーを操作して印刷条件を設定することができる。
【００１７】
記録ヘッド２４４は、例えばインクジェット用の記録ヘッドで、ＭＰＵ２３１から供給される印刷データに従って画像を印刷する。また、メモリカード制御部２５２は、デジタルカメラ等で撮影された画像が記憶されたメモリカード２６１を接続し、ＭＰＵ２３１の指示に従って、そのメモリカード２６１に読み書きができる。
【００１８】
図２は、本実施の形態に係る操作パネル２５０のキー配置を説明する図である。
【００１９】
２０１はカーソルキーで、上下左右方向へのカーソル移動指示を行う４つのキーを有し、これらカーソルキー２０１の押下に応じて、例えばテレビジョン受像機２６０の画面上に表示されているカーソルが、その指示された方向に移動する。決定キー２０２は、このカーソルで選択された内容に決定するための指示キーである。２０３は印刷設定キーで、印刷設定用の画面（図７）を表示させるためのキーである。キャンセルキー２０４は、画面上で指示された印刷条件等をキャンセルするためのキーである。
【００２０】
図３は、本実施の形態に係る印刷装置における処理を説明するフローチャートで、この処理を実行するプログラムはＲＯＭ２３２に記憶されており、ＭＰＵ２３１の制御の下に実行される。
【００２１】
この処理は、この実施の形態に係る印刷装置の電源がオンされることにより開始され、まずステップＳ１で、この印刷装置のモードを第一のモードに設定する。この第一のモードは、印刷データを受信すると、デフォルトで設定されている印刷条件に従って印刷するモードである。次にステップＳ２で、ビデオ出力制御部２５１を介してテレビジョン受像機２６０が接続されているかどうかをみる。テレビが接続されていないときは、このまま処理を終了する。テレビジョン受像機２６０が接続されている時はステップＳ３に進み、そのテレビジョン受像機２６０に、例えば図４に示すようなメニュー画面を表示する。
【００２２】
図４は、テレビジョン受像機２６０の画面に表示されたメニュー画面の一例を示す図である。
【００２３】
ここには、メモリカード制御部２５２を介して接続されたメモリカード２６１の内容をみる「項目１」、印刷設定を指示する「項目２」、モード設定を行う「項目３」、及びこのメニュー画面を終了させる「項目４」が含まれている。
【００２４】
次にステップＳ４に進み、このメニュー画面の「メモリカードを見る」が選択されたかどうかをみる。「メモリカードを見る」が選択されるとステップＳ５に進み、メモリカード制御部２５２を介してメモリカード２６１に記憶されている画像ファイルを読み取り、ステップＳ６で、その読み出した画像のインデックスを表示してステップＳ４に戻る。尚、ここでは、あるインデックス画像が指示されると、その画像を拡大表示しても良い。
【００２５】
ステップＳ４で、「メモリカードを見る」が選択されないときはステップＳ７に進み、「印刷設定」が選択されたかをみる。その場合はステップＳ８に進み、その時点で設定されているモードが第一のモードか第二のモードかを判定する。第一のモードの場合はステップＳ１０に進み、第一のモード用の印刷設定画面を、第二のモードの場合はステップＳ９に進み、第二のモード用の印刷設定画面をそれぞれ表示する。尚、この場合の表示画面例としては、例えば図８に示すような表示例でも良い。そして印刷設定が終了するとステップＳ１１で、そのメニュー画面を使用して設定された各種設定内容を、各モードに対応付けてメモリに記憶する。そしてステップＳ４に進む。
【００２６】
ステップＳ７で「印刷設定」が選択されないときはステップＳ１２に進み、「モード設定」が選択されたかをみる。これは例えば、図４のメニュー画面をが表示されている状態で、操作パネル２５０のカーソルキー２０１によりカーソル４０１を移動させて、図４に示すように「モード設定」の項目３を選択する。ここで決定キー２０２が押されると、ステップＳ１３で、図５に示すようなモード設定画面がテレビジョン受像機２６０に表示される。
【００２７】
図５は、このモード設定画面の一例を示す図である。
【００２８】
この図５では、カーソル４０１により「第二のモード」が選択されている。ここで決定キー２０２が押下されると、第二のモードが選択される。
【００２９】
ステップＳ１４では、このようにしてユーザが操作パネル２５０を使用して第一或は第二のモードを選択すると、印刷装置の状態が、その選択されたモードに設定される。そしてステップＳ４に進む。尚、ここで第二のモードに設定されると、ワイヤレスインターフェース２０４を介して受信したデータを、一旦、テレビジョン受像機２６０に表示し、このテレビジョン受像機２６０の画面を用いて設定された印刷条件に従って印刷するモードに設定されることになる。
【００３０】
ステップＳ１２で「モード設定」が選択されないときはステップＳ１５に進み、このメニュー画面を使用した設定処理が終了させる「終了」が指示されたかを判定する。終了指示があればこの処理を終了するが、そうでないときはステップＳ４に戻って前述の処理を実行する。
【００３１】
図６は、本発明の実施の形態に係る印刷装置における処理を説明するフローチャートである。この実施の形態では、ＯＢＥＸのようなワイヤレスインターフェース上のファイル交換プロトコルによって、受信するファイル名がファイルの受信前にプロトコル上の約束事として印刷装置に伝えられるものとし、この印刷装置で印刷可能なファイルをＪＰＥＧファイルとする。尚、この処理を実行するプログラムはＲＯＭ２３２に記憶されており、ＭＰＵ２３１の制御の下に実行される。
【００３２】
まずステップＳ２１で、ワイヤレスインターフェース２３４を介して画像ファイルを受信するとステップＳ２２に進み、その画像ファイルの拡張子が「ＪＰＥＧ」かどうかを調べ、そうであれば処理可能であるとしてステップＳ２４に進むが、そうでないときはエラー終了する。ステップＳ２４では、その受信した画像ファイルをＲＡＭ２３３の画像記憶エリアに記憶する。次にステップＳ２５で、現在設定されているモードが第一のモードか、第二のモードかを判定する。第一のモードであればステップＳ２６に進み、この印刷装置にセットされている用紙サイズを検出する。尚、ここでいう用紙サイズの検出とは、例えばキャリッジに設けた反射型センサで用紙上を走査して用紙幅を算出し、その用紙幅からＡ４，Ａ６等の定型サイズを割り出してもよい。また或は、前面給紙・前面排紙型のスイッチバック方式の給紙機構を持った印刷装置であれば、給紙時に得られる用紙長からＡ４，Ａ６等の定型サイズを割り出してもよい。そしてステップＳ２７に進み、ステップＳ２６で得られた用紙サイズと、予めＲＯＭ２３２内に初期設定として記憶している印刷品位とから印刷データを生成し、ステップＳ２８で印刷処理を実行する。
【００３３】
尚、ステップＳ２６で、用紙サイズの検出機構のない印刷装置の場合には、用紙サイズも印刷品位と同様に、予めＲＯＭ２３２に初期設定として記憶していても良い。他に用紙サイズや印刷品位等の印刷パラメータは、電気的に書き込み可能な不揮発性ＲＯＭであるＥＥＰＲＯＭに格納されるようになっていれば、前回印刷した設定値を、そのＥＥＰＲＯＭ２４５に記憶しても良い。
【００３４】
またテレビジョン受像機２６０と操作パネル２５０とを使用して図８のように、第一のモード時に使用する印刷パラメータを設定できるような設定画面を図４のメニュー画面に追加して表示し、ユーザにより設定された印刷設定をＥＥＰＲＯＭ２４５に記憶しても良い。
【００３５】
一方、ステップＳ２５で、第二のモードであればステップＳ２９に進み、その受信したＪＰＥＧ画像をビットマップデータに変換し、その変換した画像データをビデオ制御部２５１に転送してテレビジョン受像機２６０に表示する。次にステップＳ３０で、操作パネル部２５０の印刷設定キー２０３が押下されるのを待つ。ステップＳ３０で印刷設定キー２０３が押下されるとステップＳ３１に進み、図７に示すような、予めＲＯＭ２３２に格納されている印刷設定画面をビデオ制御部２５１に送ってテレビジョン受像機２６０に表示する。
【００３６】
図７は、ステップＳ３１で、テレビジョン受像機２６０に表示される印刷設定画面の一例を示す図である。尚、この場合には、既に表示されている画像の一部に重複して、このメニュー画面が表示される。
【００３７】
ここでは「用紙サイズ」、「印刷品位」、「印刷開始」及び「メモリカードに記憶」を指示することができる。そして「用紙サイズ」では、サイズ「Ａ４」、「Ａ６」のいずれかを設定でき、「印刷品位」では、「高」（高画質）、「並」（標準）のいずれかを設定できる。
【００３８】
そしてステップＳ３２で、「メモリカードに記憶」が選択されるとステップＳ３３に進み、現在テレビジョン受像機２６０に表示されている画像データをメモリカード２６１に記憶してステップＳ３１に進む。
【００３９】
ステップＳ３２で「メモリカードに記憶」が選択されないときはステップＳ３４に進み、「印刷開始」が指示されたかを判定する。その場合はステップＳ２７に進み、第二のもどで設定された用紙サイズや印刷品位などに従って印刷データを生成し、ステップＳ２８で印刷処理を実行する。
【００４０】
ステップＳ３４で「印刷開始」の指示でないときはステップＳ３５に進み、このメニュー画面の終了が指示されたかを調べ、終了の時はステップＳ３６に進み、ユーザがこの表示されたメニュー画面を見ながら操作パネル２５０を操作して選択した所望の用紙サイズ、印刷品位に基づいて印刷条件を決定し、それをメモリ（ＥＥＰＲＯＭ２４５）に記憶する。そしてステップＳ３０に戻る。
【００４１】
尚、上記実施の形態では、図７の画面の中に「メモリカードへの記憶」の項目を設けることにより、ワイヤレスインターフェース２０４から受信した画像データを表示した後、ユーザが所望すれば、メモリカード制御部２５２に画像データを送ることにより、この印刷装置に装着されているメモリカード２６１に保存できるようにしたが、本発明はこれに限定されるものでなく、例えば、操作パネル２５０に保存キーを設けても良い。
【００４２】
図８は、上述した第一のモード時に使用する印刷パラメータを設定する設定画面の一例を示す図である。
【００４３】
ここでは「用紙サイズ」、「印刷品位」及び「記憶する」を指示することができる。そして「用紙サイズ」では、サイズ「Ａ４」、「Ａ６」のいずれかが設定でき、「印刷品位」では、「高」（高画質）、「並」（標準）のいずれかを設定できる。また「記憶する」が指示されると、これら設定された印刷条件がＥＥＰＲＯＭ２４５に記憶される。
【００４４】
本発明の目的は前述したように、本実施の形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４５】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００４７】
以上説明したように本実施の形態によれば、ワイヤレスインターフェースを介して、携帯端末やデジタルカメラ等から送られてくる画像データを、テレビジョン受像機のような表示装置が接続されていない場合でも印刷できる。
【００４８】
また表示装置が接続されている場合には、多様な印刷モードを設定して印刷できる印刷装置を提供できる。
【図面の簡単な説明】
【００４９】
【図１】本発明の実施の形態に係る印刷装置（プリンタ）の構成例を示すブロック図である。
【図２】本実施の形態に係る操作パネルのキー配置を説明する図である。
【図３】本実施の形態に係る印刷装置における処理を説明するフローチャートである。
【図４】テレビジョン受像機の画面に表示されたメニュー画面の一例を示す図である。
【図５】テレビジョン受像機の画面に表示されたモード設定画面の一例を示す図である。
【図６】本発明の実施の形態に係る印刷装置における処理を説明するフローチャートである。
【図７】図６のステップＳ２６でテレビジョン受像機に表示される印刷設定画面の一例を示す図である。
【図８】テレビジョン受像機に表示される第一のモード時の印刷設定画面の一例を示す図である。
【図１】
0004785350.tif 000002
【図２】
0004785350.tif 000003
【図３】
0004785350.tif 000004
【図４】
0004785350.tif 000005
【図５】
0004785350.tif 000006
【図６】
0004785350.tif 000007
【図７】
0004785350.tif 000008
【図８】
0004785350.tif 000009